(57)【特許請求の範囲】
【請求項１】
棚装置における棚部材の外側に、パネルに設けられた穴を利用して当該パネルを固定可能としたパネル取付具において、
前記棚部材の端部側に保持される保持部と、この保持部に連なって前記穴に挿入可能に設けられるとともに、屈曲することにより棚部材と相互にパネルを挟み込み可能な挟持部とを備え、
前記挟持部は、前記保持部が棚部材に保持された状態で、棚部材の端面より外側に位置するように設けられ、
前記棚部材は、屈曲部を備える一方、前記保持部は、前記屈曲部の端部から差し込み可能な差し込みスペースを備え、この差し込みスペースを屈曲部に差し込むことにより、棚部材に保持されることを特徴とするパネル取付具。
【請求項２】
前記保持部は、前記屈曲部に保持されたときに、当該屈曲部の延出方向に沿ってスライド可能に設けられていることを特徴とする請求項１記載のパネル取付具。
【請求項３】
前記挟持部は、パネルの外面側から屈曲可能に設けられていることを特徴とする請求項１又は２記載のパネル装置。
【発明の詳細な説明】
【０００１】
【発明の属する技術分野】
本発明は、パネル取付具に係り、更に詳しくは、棚部材の外側にパネルを固定することのできるパネル取付具に関する。
【０００２】
【従来の技術】
公知の棚装置としては、前後及び左右に相対位置する四本の支柱に支持された天板や底板等からなる複数の棚部材を備えたものが知られている。この棚装置の後部左右の支柱間にはパネルが設けられており、このパネルは、天板側にパネル取付具を用いて固定されている。このパネル取付具としては、図１２及び図１３に示されるタイプのものが存在する。
【０００３】
前記パネル取付具５０は、図１２に示されるように、一枚の長片状の金属板等を折り曲げて構成されており、パネル５１と天板５２を支持するビーム５３との間に挿入可能に設けられた差し込み面部５５と、この差し込み面部５５に屈曲して連なる水平面部５６と、この水平面部５６に連なってパネル５１に設けられた穴５１Ａに挿入可能な垂下面部５７とにより構成されている。パネル取付具５０を用いてパネル５１を天板５２側に固定する場合、まず、差し込み面部５５をパネル５１とビーム５３との間に差し込んだ後、前記穴５１Ａがビーム５３の下端部に位置するようにパネル５１を手で持ち上げながら、水平面部５６をパネル５１外面に沿うように折り曲げて垂下面部５７を穴５１Ａに挿入する。そして、図１３に示されるように、垂下面部５７の先端側をビーム５３の内面に沿うように折り曲げることにより、パネル５１がビーム５３に固定されることとなる。
【０００４】
【発明が解決しようとする課題】
しかしながら、前記パネル取付具５０の構成にあっては、パネル５１の固定作業を行う場合、当該パネル５１を手で持ち上げながら前記水平面部５６を折り曲げて垂下面部５７をパネル５１の穴５１Ａに挿入しなければならない。これがため、パネル５１を一方の手で持ちながら、若しくは、パネル５１を他の作業者が持ちながら水平面部５６の折り曲げ操作を行わなければならず、パネル５１の固定作業が極めて困難且つ煩雑になるという不都合を招来する。また、従来の構成では、棚装置が大型である場合に、単独作業を極めて困難にする。
【０００５】
ところで、パネル５１の固定方法としては、先端側が天板５２及びビーム５３の端面より突出するようにボルトを取り付けておき、このボルトにパネル５１の穴５１Ａを差し込んでからナットで締め付ける方法もある。これによれば、パネル５１がボルトに吊り下げられた状態、すなわち、パネル５１を手で持つことなくナットを締め付けてパネルを固定することができる。
【０００６】
しかしながら、このような固定方法では、ナットを締め付けるためにスパナ等の専用工具が必須となり、却って固定作業が面倒になるという不都合を生じる。
また、ボルトの装着位置は調整することができないため、部品の寸法精度を高精度に維持しなければならない他、パネル５１の穴５１Ａとボルトの位置との間にずれが生じた場合、パネル５１の取り付け自体が不可能になるという不都合もある。
【０００７】
【発明の目的】
本発明は、このような不都合に着目して案出されたものであり、その目的は、パネルを所定の固定位置に吊り下げた状態で、工具を必要とすることなくパネルを所定位置に容易に固定することのできるパネル取付具を提供することにある。
【０００８】
【課題を解決するための手段】
前記目的を達成するため、本発明は、棚装置における棚部材の外側に、パネルに設けられた穴を利用して当該パネルを固定可能としたパネル取付具において、
前記棚部材の端部側に保持される保持部と、この保持部に連なって前記穴に挿入可能に設けられるとともに、屈曲することにより棚部材と相互にパネルを挟み込み可能な挟持部とを備え、
前記挟持部は、前記保持部が棚部材に保持された状態で、棚部材の端面より外側に位置するように設けられ、
前記棚部材は、屈曲部を備える一方、前記保持部は、前記屈曲部の端部から差し込み可能な差し込みスペースを備え、この差し込みスペースを屈曲部に差し込むことにより、棚部材に保持される、という構成を採っている。このような構成によれば、パネルを棚部材に取り付ける場合、挟持部をパネルの穴に挿入させて当該パネルを吊り下げた状態とした後、挟持部を屈曲してパネルを棚部材に固定することができる。これにより、挟持部を屈曲させるときに、パネルを手で持つことなくパネルを棚部材に固定することができ、従来のパネル取付具と比べて、極めて容易且つ迅速に固定作業を行うことができる。また、パネルを固定するための専用工具を利用することがないので、これによっても、固定作業の簡略化を実現することが可能となる。また、専用工具等を用いることなく、差し込みスペースを屈曲部に差し込むだけで、保持部を棚部材に容易に保持させることができる。
【００１０】
また、前記保持部は、前記屈曲部に保持されたときに、当該屈曲部の延出方向に沿ってスライド可能に設けられる、という構成も採用することができる。このような構成を採れば、パネルの穴と挟持部の初期位置とが一致しない場合であっても、挟持部の位置調整をスムースに行うことができ、パネルの固定作業が煩雑となる虞を有効に回避することが可能となり、また、部品相互の寸法も厳格でなくてよく、部品の生産管理の負担軽減を図ることができる。
【００１１】
更に、前記挟持部をパネルの外面側から屈曲可能に設けるとよく、これにより、パネルの内面側に回り込むことなく挟持部の屈曲操作をスムースに行うことができ、作業を楽な姿勢で行うことが可能となる。
【００１２】
【実施例】
以下、本発明の実施例を図面を参照しながら説明する。
【００１３】
図１には、本発明のパネル取付具が棚装置に適用された実施例の概略斜視図が示され、図２には、前記棚装置を後方から見た概略斜視図が示されている。これらの図において、棚装置１０は、側面側に上下方向に沿って複数の角穴１１を備えた横断面略Ｌ字状の四本の支柱１２と、これら支柱１２に図示しない支持金具を介して支持されるとともに、最上段に位置する天板１４、最下段に位置する底板１５及びこれら天板１４及び底板１５の間に配置された二枚の中間棚板１６，１６を備えた棚部材１７と、この棚部材１７の後部に設けられたパネル１９とを備えて構成されている。ここで、天板１４及び底板１５には、複数のパネル取付具２０が保持されており、これらパネル取付具２０を介して前記パネル１９の上下両端側が棚部材１３の後部に固定されている。
【００１４】
前記棚部材１７を構成する天板１４、底板１５及び中間棚板１６，１６は、特に限定されるものでないが、本実施例では、一枚の金属板を折り曲げ加工して構成されている。棚部材１７は、図１及び図７に示されるように、平面視略長方形状となる載置面部２２と、この載置面部２２のコーナー領域を除く四辺に連なって垂下する端面形成部２３と、この端面形成部２３の下端に沿って設けられた補強用水平面部２４と、この補強用水平面部２４の内周端から起立する補強用立上り部２５とを備えて構成されている。ここにおいて、前記補強用水平面部２４と補強用立上り部２５とにより屈曲部が形成されている。
【００１５】
前記パネル１９は、図２に示されるように、前記天板１４から底板１５までの距離より若干短い上下幅を備えている。パネル１９の上端に沿う位置には、パネル取付具２０の後述する挟持部を受容可能な複数の穴２７（図９参照）が設けられている一方、パネル１９の左右両端に沿う位置には、複数のスリット穴２８が設けられ、当該スリット穴２８と角穴１１とに跨って引っ掛け可能な複数の側部止め具２９がそれぞれ装着されている。
【００１６】
前記パネル取付具２０は、図３ないし図５に示されるように、天板１４の後端側に保持される保持部３１と、この保持部３１に連なって前記穴２７に挿入可能に設けられた一対の挟持部３２とを備えて構成されている。なお、底板１５に保持されるパネル取付具２０は、天板１４に保持されたものと同一構成となるため、ここでは、天板１４に保持されたパネル取付具２０について説明する。
【００１７】
前記保持部３１は、本実施例では、側面視コ字状に折り曲げ加工された二枚の金属板を組み合わせることによって構成されている。この保持部３１は、図５に示されるように、前記補強用水平面部２４の上面に接する領域を備えた接触面部３３と、この接触面部３３の図５中右端側から起立して前記補強用立上り部２５に接する内側垂直面部３４と、この内側垂直面部３４の上端から同図中左方に向かって屈曲する内側接合面部３６と、この内側接合面部３６の上面に接合される外側接合面部３７と、この外側接合面部３７の同図中右端より垂下するとともに、補強用立上り部２５との間に所定間隔を隔てて位置する外側垂直面部３８と、この外側垂直面部３８の下端に連なって左方に向かって延びるとともに、補強用水平面部２４の下面側に位置する平面部３９とを備えて構成されている。なお、前記接触面部３３及び平面部３９の略中央部には、穴３３Ａ及び穴３９Ａが形成され、これらの穴３３Ａ，３９Ａは、前記補強用水平面部２４に設けられた穴２４Ａと一致させることにより、パネル取付具２０の取り付け位置を外部より視認でき、これにより、パネル取付具２０を所定位置に容易にセットすることが可能となる。
【００１８】
前記接触面部３３と平面部３９の間及び内側垂直面部３４と外側垂直面部３８の間には、図５に示されるように、補強用水平面部２４及び補強用立上り部２５を受容可能な差し込みスペースＳが形成され、この差し込みスペースＳを補強用立上り部２５の端部側から差し込むことにより、保持部３１を天板１４に保持できるようになっている（図７及び図８参照）。外側垂直面部３８の内面側（差し込みスペースＳ側）には、図５中紙面直交方向に沿って二つの隆起部４１が設けられ、これら隆起部４１は、補強用立上り部２５に略点接触するように設けられている。これにより、補強用立上り部２５を隆起部４１と内側垂直面部３４とにより挟み込んだ状態で、保持部３１をスムースにスライドさせることができ、且つ、当該保持部３１の図５中左右方向のがたつきを防止できるようになっている。また、接触面部３３の長手方向両端側には、当該両端を斜め上方に折り曲げて形成された案内面部４２が設けられており、差し込みスペースＳに補強用水平面部２４を差し込み易いようになっている。
【００１９】
なお、前記内側接合面部３６及び外側接合面部３７の面内二箇所位置には、貫通穴４３が設けられているが、これらの貫通穴４３は各接合面部３６，３７を溶接等により相互に接合する際の位置決め用の穴であり、これら貫通穴４３を利用することで各接合面部３６，３７の相対位置が正確に決定される。
【００２０】
前記各挟持部３２は、図３ないし図５に示されるように、平面部３９の図５中左端における紙面直交方向両側位置に連なって平板爪状に形成されるとともに、図５に示された状態で、端面形成部２３より外側に突出する位置にそれぞれ設けられている。各挟持部３２の基端側には、平面視略く字状となる切欠部３２Ａがそれぞれ設けられており、これら切欠部３２Ａの位置で挟持部３２を図６中矢印Ｒ方向に屈曲可能となっている。従って、挟持部３２は、図６に示されるように、パネル１９の穴２７に挿入された状態で、先端側を指で押圧して屈曲することにより、パネル１９を端面形成部２３と相互に挟み込んで当該パネル１９を固定可能となっている。
【００２１】
以上の構成において、棚装置１０を組み立てる作業は、まず、図７に示されるように、天板１４及び底板１５の補強用立上り部２５の端部からパネル取付具２０の差し込みスペースＳを差し込んで当該天板１４及び底板１５に複数のパネル取付具２０を保持させる。次に、天板１４、底板１５及び中間棚板１６を図示しない支持金具を介して支柱１２に支持させた後、パネル取付具２０を天板１４の後端の延出方向に沿ってスライド移動して、パネル１９の穴２７の位置と一致するように所定間隔毎に配置する。そして、図８に示されるように、パネル１９を持ち上げて各穴２７に挟持部３２をそれぞれ挿入させて当該パネル１９を吊り下げ状態とした後、図６及び図９に示されるように、各挟持部３２をそれぞれ折り曲げて端面形成部２３と相互にパネル１９の上方領域を挟み込む。この状態で、図２に示されるように、底板１５に保持させたパネル取付具２０の挟持部３２を屈曲してパネル１９の下端側を固定する一方、スリット穴２８及び角穴１１に側部止め具２９をそれぞれ装着してパネル１９の左右両端側を支柱１２に固定することで、パネル１９がその四辺全ての位置で固定されることとなる。
【００２２】
従って、このような実施例によれば、保持部３１が補強用立上り部２５を図５中左右方向から挟み込むように位置するので、パネル１９の穴２７を挟持部３２に挿入するときに、パネル取付具２０が天板１４から脱落することなくパネル１９を吊り下げ状態とすることができる。
【００２３】
なお、前記実施例において、保持部３１を側面視コ字状となる二枚の金属板により構成した場合を説明したが、本発明は、これに限定されるものでなく、一枚の金属板を折り曲げて構成したり、樹脂等による一体成形品として構成してもよい。
【００２４】
また、前記実施例では、天板１４及び底板１５の後部のみにパネル１９を固定した場合を説明したが、天板１４及び底板１５の側端部にパネル取付具２０を保持させて棚部材１７の側部にもパネル１９と同様にしてパネルを固定してもよい。
【００２５】
更に、前記実施例では、補強用立上り部２５を備えた棚部材１７にパネル取付具２０を保持させた場合を図示、説明したが、補強用立上り部２５を省略した棚部材１７であっても、パネル取付具２０を保持させることが可能である。これにより、棚部材１７を支柱１２に支持させた後に、接触面部３３と平面部３９との間に補強用水平面部２４を差し込んでパネル取付具２０を保持させることができる。この際、保持部３１を、例えば、図１０及び図１１に示される構成に代替することができ、この構成は、一枚の金属板を二枚厚に折り曲げて接触面部３３及び平面部３９を形成し、これらの間に補強用水平面部２４を受容可能な差し込みスペースＳを形成することによって構成されている。これによれば、棚部材１７及び保持部３１の構成を簡略化することができ、また、パネル取付具２０を薄型化することが可能となる。
【００２６】
【発明の効果】
以上説明したように、本発明によれば、保持部が棚部材の端部側に保持された状態で、挟持部が当該棚部材の端面より外側に位置することとしたから、パネルの穴を挟持部に挿入させることにより、当該パネルを挟持部に吊り下げた状態とすることができ、これにより、挟持部を屈曲させるときに、パネルを手で持つことなくパネルを棚部材に極めて容易に固定することが可能となる。また、パネル固定用の専用工具等が必要なくなるため、固定作業をより一層簡略化することができる。
【００２７】
また、棚部材の端部に屈曲部を設ける一方、当該屈曲部の端部から差し込み可能な差し込みスペースを保持部に設けた場合には、専用工具等を利用することなく、保持部を棚部材に容易に保持させることができる。
【００２８】
更に、保持部は、屈曲部の延出方向に沿ってスライド可能に設けられているから、挟持部の位置調整をスムースに行うことができ、これにより、パネルの穴と挟持部との位置がずれた場合であっても、パネルの固定作業を難なく行うことができ、また、部品相互の寸法精度も厳格でなくてよく、部品の生産管理の負担軽減を図ることができる。
【００２９】
また、挟持部をパネル外面から屈曲可能とした場合には、パネルの内面側に回り込む必要をなくして楽な姿勢で挟持部を屈曲することができ、固定作業の労力を軽減することが可能となる。
【図面の簡単な説明】
【図１】実施例に係るパネル取付具が棚装置に適用された場合の概略斜視図。
【図２】前記棚装置を後方から見た場合の概略斜視図。
【図３】前記パネル取付具の概略斜視図。
【図４】図３の側面図。
【図５】図８のＢ−Ｂ線に沿う矢視断面図。
【図６】図９のＣ−Ｃ線に沿う矢視断面図。
【図７】棚部材にパネル取付具を保持させる要領を示す説明図。
【図８】パネルの穴に挟持部を挿入させる要領を示す説明図。
【図９】図２のＡ部拡大図。
【図１０】変形例に係るパネル取付具の概略斜視図。
【図１１】変形例に係るパネル取付具の図６と同様の断面図。
【図１２】従来のパネル取付具の装着前の縦断面図。
【図１３】従来のパネル取付具の装着後の縦断面図。
【符号の説明】
１０  棚装置
１７  棚部材
１９  パネル
２０  パネル取付具
２５  補強用立上り部
２７  穴
３１  保持部
３２  挟持部
Ｓ  差し込みスペース
【図１】
0004549520.tif 000002
【図２】
0004549520.tif 000003
【図３】
0004549520.tif 000004
【図４】
0004549520.tif 000005
【図５】
0004549520.tif 000006
【図６】
0004549520.tif 000007
【図７】
0004549520.tif 000008
【図８】
0004549520.tif 000009
【図９】
0004549520.tif 000010
【図１０】
0004549520.tif 000011
【図１１】
0004549520.tif 000012
【図１２】
0004549520.tif 000013
【図１３】
0004549520.tif 000014